(57)【要約】【課題】光学フィルタの表面に付着した塵埃等を容易に除去できる電子カメラを提供する。【解決手段】アーム回転軸１２２ａ，１２３ａ，１３２ａ，１３３ａを中心に回動する各アーム１２２、１２３，１３２，１３３で各羽根１２１，１３１を駆動するため、各羽根１２１，１３１は、各羽根１２１，１３１の主たる移動方向（上下方向）とは異なる方向（左右方向）にも移動する。本実施の形態のカメラ１では、この各羽根１２１，１３１の左右方向への移動による基板１１０との重なり量の変化を使用して、ゴミ取り用の開口である拡大開口領域１１１ｂを設けている。すなわち、本実施の形態のカメラ１では、走行方向と直交する方向に動く羽根１２１，１３１の動きに合わせて、各羽根１２１，１３１と基板１１０との重なり量が最も多くなる、撮影開口１１１の高さ方向中心近傍であって撮影開口１１１の右側に拡大開口領域１１１ｂを設けている。【選択図】図７
2007281932.tif 000002
【特許請求の範囲】
【請求項１】
撮像素子と、
被写体からの光を前記撮像素子に導く開口部と、
前記開口部に入射する光を遮断する遮断位置と前記開口部に光を入射させる入射位置との間を、複数のシャッタ羽根が走行方向と直交する方向に動きながら走行するシャッタとを有し、
前記開口部は、前記複数のシャッタ羽根の動きに対応した領域に非矩形状に形成されていること
を特徴とする電子カメラ。
【請求項２】
請求項１に記載の電子カメラにおいて、
前記開口部は、前記撮像素子の有効撮像領域と非有効撮像領域に対応した位置に形成され、
前記開口部の非有効撮像領域に対応する部分は、前記複数のシャッタ羽根の走行方向と直交する方向に動く領域に形成されていること
を特徴とする電子カメラ。
【請求項３】
請求項２に記載の電子カメラにおいて、
前記シャッタ羽根の一端は、前記シャッタ羽根を走行させるシャッタ駆動機構に支持されており、
前記開口部の非有効撮像領域に対応する部分は、前記シャッタ羽根のシャッタ駆動機構に支持された部分とは反対の領域に形成されていること
を特徴とする電子カメラ。
【請求項４】
請求項２または請求項３に記載の電子カメラにおいて、
前記開口部のうち、前記撮像素子の有効撮像領域に対応した位置に形成された部分は矩形状であり、前記撮像素子の非有効撮像領域に対応した位置に形成された部分は非矩形状であること
を特徴とする電子カメラ。
【請求項５】
請求項２から請求項４のいずれか一項に記載の電子カメラにおいて、
前記開口部の非有効撮像領域に対応する部分は、略三角形であること
を特徴とする電子カメラ。
【発明の詳細な説明】
【技術分野】
【０００１】
本発明は、シャッタを備えた電子カメラに関する。
【背景技術】
【０００２】
一眼レフタイプの電子カメラでは、撮像素子の前方に光学フィルタが配設されているが、光学フィルタの表面に塵埃等が付着して、撮影画像に写り込むことがある。この塵埃等を拭い去るために、光学フィルタの前方に配設されたフォーカルプレーンシャッタの開口部分を、撮像素子の非有効撮像領域に拡大した電子カメラが知られている。この電子カメラでは、矩形状の開口部分のうち、シャッタ羽根の支持部側に位置する一辺を非有効撮像領域に向けて拡大し、塵埃等の除去に際しては、この一辺側に塵埃等を寄せ集めて拭うこととしている（特許文献１参照）。従来の電子カメラでは、この一辺側に塵埃等を寄せ集めて拭うこととしているため、拭い残した塵埃等が非有効撮像領域に残っても、撮影画像に写り込むことがない。
【０００３】
【特許文献１】特開２００４−３４１１９８号公報
【発明の開示】
【発明が解決しようとする課題】
【０００４】
シャッタ羽根は一端側が上述した一辺に沿って走行するが、遮光性能を確保するため、開口部分の周囲とシャッタ羽根の一端側とが所定距離以上重なっていることが必要である。したがって、従来の電子カメラでは、開口部分の一辺側を非有効撮像領域に拡大しているため、シャッタ羽根の長さも開口部分の拡大距離に応じて長くする必要がある。そのため、シャッタが大きくなってしまう。
【課題を解決するための手段】
【０００５】
（１）  請求項１の発明による電子カメラは、撮像素子と、被写体からの光を撮像素子に導く開口部と、開口部に入射する光を遮断する遮断位置と開口部に光を入射させる入射位置との間を、複数のシャッタ羽根が走行方向と直交する方向に動きながら走行するシャッタとを有し、開口部は、複数のシャッタ羽根の動きに対応した領域に非矩形状に形成されていることを特徴とする。
（２）  請求項２の発明は、請求項１に記載の電子カメラにおいて、開口部は、撮像素子の有効撮像領域と非有効撮像領域に対応した位置に形成され、開口部の非有効撮像領域に対応する部分は、複数のシャッタ羽根の走行方向と直交する方向に動く領域に形成されていることを特徴とする。
（３）  請求項３の発明は、請求項２に記載の電子カメラにおいて、シャッタ羽根の一端は、シャッタ羽根を走行させるシャッタ駆動機構に支持されており、開口部の非有効撮像領域に対応する部分は、シャッタ羽根のシャッタ駆動機構に支持された部分とは反対の領域に形成されていることを特徴とする。
（４）  請求項４の発明は、請求項２または請求項３に記載の電子カメラにおいて、開口部のうち、撮像素子の有効撮像領域に対応した位置に形成された部分は矩形状であり、撮像素子の非有効撮像領域に対応した位置に形成された部分は非矩形状であることを特徴とする。
（５）  請求項５の発明は、請求項２から請求項４のいずれか一項に記載の電子カメラにおいて、開口部の非有効撮像領域に対応する部分は、略三角形であることを特徴とする。
【発明の効果】
【０００６】
本発明によれば、シャッタを大きくせずに非有効撮像領域に開口を設けることができる。
【発明を実施するための最良の形態】
【０００７】
図１〜８を参照して、本発明による電子カメラの一実施の形態を説明する。図１は本実施形態におけるデジタルスチルカメラを側面から見た断面図である。このデジタルスチルカメラ１はレンズ交換式の一眼レフタイプであり、撮影レンズＬを有する交換レンズＬＢがレンズマウント２１を介してカメラ本体ＣＢに装着される。撮影レンズＬを透過した撮影光束は、レンズマウント２１の開口２１ａを通ってカメラ本体ＣＢ内に導かれ、ミラー２２で反射されてファインダスクリーン２３上に結像され、ペンタプリズム２４，接眼レンズ２５を介して観察される。
【０００８】
レリーズ操作がなされると、ミラー２２が跳ね上げられるとともにフォーカルプレーンシャッタ１００が駆動され、撮影レンズＬの透過光束は、光学フィルタ２０１を介してＣＣＤなどの撮像素子３０に入射する。撮像素子３０の光電変換出力は、不図示の画像処理回路にて種々の処理が施され、デジタル画像データが生成される。撮像素子３０およびフィルタ２０１は、予め撮像ユニットＵＮとして一体化されている。なお、撮像素子３０には、ＣＣＤ以外の撮像素子（例えば、ＣＭＯＳ）を用いてもよい。
【０００９】
図２は、先幕遮光シャッタ羽根群によって遮光状態とされたフォーカルプレーンシャッタ１００をカメラ１の前方から見た図であり、図３は、後幕遮光シャッタ羽根群によって遮光状態とされたフォーカルプレーンシャッタ１００をカメラ１の前方から見た図である。図１に示すように、フォーカルプレーンシャッタ１００は、光学フィルタ２０１の前方に位置するようにボディ５０に取り付けられる。
【００１０】
フォーカルプレーンシャッタ１００は、基板１１０と、先幕遮光シャッタ羽根群１２０を構成する４枚の先幕遮光シャッタ羽根１２１と、後幕遮光シャッタ羽根群１３０を構成する４枚の後幕遮光シャッタ羽根１３１と、先幕主アーム１２２と、先幕従動アーム１２３と、後幕主アーム１３２と、後幕従動アーム１３３と、不図示の仕切板と、カバー板１４０とを備えている。基板１１０は、フォーカルプレーンシャッタ１００を構成する各部品が配設される基板であり、撮像素子３０に被写体像を導く撮影開口１１１と、長穴１１２，１１３とが設けられている。
【００１１】
基板１１０の正面側には、先幕遮光シャッタ羽根群１２０および後幕遮光シャッタ羽根群１３０を駆動する不図示の遮光羽根駆動部が取り付けられている。後述するが、基板１１０の背面には、不図示の仕切板およびカバー板１４０が配設される。仕切板およびカバー板１４０には、基板１１０の撮影開口１１１と略同形状の開口が設けられている。なお、仕切板の開口は、配設された仕切板のがたつきを考慮して、撮影開口１１１よりもやや大きい。
【００１２】
撮影開口１１１は、横長の矩形形状部分（矩形開口領域）１１１ａとこの矩形開口領域１１１ａから図示右側に略三角形状に突出する突出部分（拡大開口領域）１１１ｂとからなる。拡大開口領域１１１ｂは、撮影開口１１１の上下方向（高さ方向）の略中央部分に設けられている。撮影開口１１１の形状については後に詳述する。以下の説明では、撮影開口１１１の上下方向（高さ方向）を短辺方向とも呼び、撮影開口１１１の左右方向を長辺方向とも呼ぶこととする。
【００１３】
先幕主アーム１２２および先幕従動アーム１２３は、アーム回転軸１２２ａおよび１２３ａに回動可能に軸支され、後幕主アーム１３２および後幕従動アーム１３３は、アーム回転軸１３２ａおよび１３３ａに回動可能に軸支されている。先幕主アーム１２２および先幕従動アーム１２３には、かしめピンによって４枚の先幕遮光シャッタ羽根１２１が回動可能に取り付けられている。先幕主アーム１２２および先幕従動アーム１２３がアーム回転軸１２２ａおよび１２３ａを中心に回転駆動されると、４枚の先幕遮光シャッタ羽根１２１が連動して駆動される。すなわち、先幕主アーム１２２と先幕従動アーム１２３とによって構成される周知のリンク機構によって４枚の先幕遮光シャッタ羽根１２１が連動して駆動されて、基板１１０の撮影開口１１１を上下方向（短辺方向）に移動するように構成されている。なお、先幕主アーム１２２、先幕従動アーム１２３および先幕遮光シャッタ羽根１２１は、基板１１０と不図示の仕切板との間に配設されている。
【００１４】
後幕主アーム１３２および後幕従動アーム１３３には、かしめピンによって４枚の後幕遮光シャッタ羽根１３１が回動可能に取り付けられている。後幕主アーム１３２および後幕従動アーム１３３がアーム回転軸１３２ａおよび１３３ａを中心に回転駆動されると、４枚の後幕遮光シャッタ羽根１３１が連動して駆動される。すなわち、後幕主アーム１３２と後幕従動アーム１３３とによって構成される周知のリンク機構によって４枚の後幕遮光シャッタ羽根１３１が連動して駆動されて、基板１１０の撮影開口１１１を短辺方向に移動するように構成されている。なお、後幕主アーム１３２、後幕従動アーム１３３および後幕遮光シャッタ羽根１３１は、不図示の仕切板とカバー板１４０との間に配設されている。
【００１５】
先幕主アーム１２２および後幕主アーム１３２には、穴１２２ｂ，１３２ｂが設けられ、長穴１１２，１１３を貫通した不図示の遮光シャッタ羽根駆動部の連動ピンが正面側から挿入される。穴１２２ｂ，１３２ｂに嵌合する連動ピンが長穴１１２，１１３に沿って駆動されると、先幕主アーム１２２および後幕主アーム１３２がアーム回転軸１２２ａおよび１３２ａを中心に旋回されるので、先幕遮光シャッタ羽根１２１および後幕遮光シャッタ羽根１３１が上述のように撮影開口１１１の短辺方向を走行するように駆動される。
【００１６】
図２に示すように、撮影開始前の撮影開口１１１の遮蔽時には、後幕遮光シャッタ羽根１３１が撮影開口１１１の上方で停止し、先幕遮光シャッタ羽根１２１が撮影開口１１１の全体を覆う位置で停止するので、撮影開口１１１は、先幕遮光シャッタ羽根１２１によって完全に閉じられて遮蔽された状態となる。露光時には、後幕遮光シャッタ羽根１３１が撮影開口１１１の上方で停止したまま、先幕遮光シャッタ羽根１２１が撮影開口１１１の下方まで走行して停止するので、撮影開口１１１は、開放された状態となる。
【００１７】
その後、先幕遮光シャッタ羽根１２１が撮影開口１１１の下方で停止したまま、後幕遮光シャッタ羽根１３１が下方に向かって走行して撮影開口１１１の全体を覆う位置で停止するので、撮影開口１１１は、後幕遮光シャッタ羽根１３１によって完全に閉じられて遮蔽された状態となり露光が終了する（図３）。その後、先幕遮光シャッタ羽根１２１および後幕遮光シャッタ羽根１３１は、それぞれ上方に向かって走行し、図２に示した撮影前の状態に戻る。
【００１８】
図４は上記撮像ユニットＵＮをカメラ１の前方から見た図であり、図５は図４のＶ−Ｖ線断面図であり、図６は図４のVI−VI線断面図である。図５，６に示すように、フォーカルプレーンシャッタ１００には、基板１１０の背面側から遮光シャッタ羽根群１２０，１３０を保護するカバー板１４０が設けられている。上述したように、カバー板１４０には基板１１０の撮影開口１１１と略同寸法、同形状の開口１４０ａが形成されている。遮光シャッタ羽根群１２０，１３０は、これら基板１１０とカバー板１４０との間の空間に配置されることになる。なお、図４ではフォーカルプレーンシャッタ１００の図示を省略し、図５，６では遮光シャッタ羽根群１２０，１３０および仕切板の記載を省略している。
【００１９】
撮像素子３０は、画像を取り込むための受光面であるチップ３３と、チップ３３が固定されるパッケージ３２と、チップ３３の前面を覆うようにパッケージ３２に固定されるチップ保護用の透明のカバーガラス３１とを有する。３４は、チップ３３からの信号をパッケージ３２の外部へ取り出すためのリードであり、これもパッケージ３２に固定される。そして、パッケージ３２は保持部材２０３に接着される。なお、チップ３３とリード３４とは不図示のペースト部材にて結合されている。
【００２０】
撮像素子３０のカバーガラス３１の前面には、絞りシート２０２を挟んでフィルタ２０１が配置される。フィルタ２０１は、赤外光を取り除くための赤外カットフィルタ２０１ａと、撮影光束の高周波成分を取り除いて良好な画像を得るための光学ローパスフィルタ２０１ｂとを重ね合わせて成る。なお、フィルタ２０１は、図示したような２層構造に限られない。絞りシート２０２を介してばね性のあるフィルタ固定部材２０５により、フィルタ２０１を撮像素子３０のカバーガラス３１に押しつけ、フィルタ固定部材２０５をビス２０６により保持部材２０３に固定することでフィルタ２０１が撮像素子３０と一体化される（図４）。保持部材２０３はボディ５０に固定される。
【００２１】
なお、撮像電気基板２０４は保持部材２０３に固定され、撮像素子３０のリード３４は、基板２０４の差込孔２０４ａに嵌入されて半田付けされる（図６）。これにより撮像素子３０と撮像電気基板２０４とが電気的に接続される。
【００２２】
ここで、図２〜図４に二点鎖線で示した矩形の領域３０ａは、撮像素子３０の受光面の位置および受光面積で決まるフィルタ２０１の有効透過領域（以下、有効領域と呼ぶ）を示している。つまりこの有効領域３０ａを透過した光束のみが撮像素子３０で撮像され、最終的な画像データを構成する。有効領域３０ａはフィルタ２０１の中央の大部分を占め、その周囲の領域が非有効透過領域（以下、非有効領域と呼ぶ）３０ｂとなる。
【００２３】
なお、上述のように、有効領域３０ａを透過した光束のみが撮像素子３０で撮像され、最終的な画像データを構成するので、有効領域３０ａは、撮像素子３０の有効撮像領域を規定する。したがって、有効領域３０ａは撮像素子３０の有効撮像領域に対応し、非有効領域３０ｂは撮像素子３０の非有効撮像領域を規定する。
【００２４】
有効領域３０ａにフォーカルプレーンシャッタ１００から発生する微粉末や、外部から侵入したゴミなどの異物が付着していると、それが被写体とは無関係の黒点として画像に写り込んでしまう。そこで本実施の形態では、フィルタ２０１の有効領域３０ａに付着した異物（塵埃等）をユーザが簡単に拭い去れるような構成とした。以下、その詳細を説明する。
【００２５】
フィルタ２０１の前面（より正確には、前側に位置する赤外カットフィルタ２０１ａの前面）を拭うには、まずレンズ鏡筒ＬＢをカメラ本体ＣＢから外す。不図示のモード選択スイッチの操作によってクリーニングモードが選択されると、ミラー２２がミラーアップ状態となり、後幕遮光羽根１３１が撮影開口１１１の上方で停止し、先幕遮光シャッタ羽根１２１が撮影開口１１１の下方まで走行して停止する。これにより、撮影開口１１１は、開放された状態となる。この状態で、たとえばアルコールにつけた綿棒や筆状の清掃部材をマウント２１の開口２１ａから挿通し、フォーカルプレーンシャッタ１００の基板１１０およびカバー板１４０を通してフィルタ２０１の前面に当て、その面に沿って移動させる。つまり有効領域３０ａに付着している異物を有効領域外に払い出して拭い去る要領で清掃を行う。
【００２６】
異物を有効領域外に出すには、撮影開口１１１の一部が有効領域３０ａの外側に位置する必要がある。有効領域３０ａの外側が露呈しない状況では、清掃部材が有効領域外に至る前に撮影開口１１１の端面にぶつかってしまい、異物を有効領域外まで移動させることとが極めて難しいからである。また有効領域外の部分が多少露呈する程度では異物を完全に有効領域外に移動させることは困難であり、異物をなるべく有効領域３０ａから遠ざけるためにも有効領域外部分が大きく露呈している方がよい。
【００２７】
そこで本実施の形態では、図２，３に示すように、有効領域３０ａに対応する位置に有効領域３０ａと略一致するように矩形開口領域１１１ａを設け、非有効領域３０ｂに対応する位置に拡大開口領域１１１ｂを設けた。すなわち、撮影開口１１１の図示右側に拡大開口領域１１１ｂを設けることで、撮影開口１１１の右辺の一部を有効領域３０ａの右端よりも大きく外側に離間させた。これにより有効領域３０ａよりも右側の非有効領域３０ｂが大きく露呈するので、上記清掃の際に有効領域３０ａに付着した異物を効率よく右側の非有効領域３０ｂに払い出すことが可能となる。
【００２８】
また、拡大開口領域１１１ｂは略三角形状に形成され、高さ方向の中央部分で、最も有効領域３０ａから遠ざかっている。このため、拡大開口領域１１１ｂの三角形状の右側頂部に向かって清掃部材を動かすことで、異物をより有効領域３０ａから遠ざけることができ、一度払った異物が再び有効領域３０ａに舞い戻る可能性を低くできる。
【００２９】
次に、図７，８を参照して、拡大開口領域１１１ｂを図示右側に設けた理由を説明する。図７は、先幕遮光シャッタ羽根１２１が撮影開口１１１を略半分開放した状態を示す図であり、図８は、後幕遮光シャッタ羽根１３１が撮影開口１１１を略半分遮蔽した状態を示す図である。
【００３０】
上述したように、先幕遮光シャッタ羽根１２１が取り付けられている先幕主アーム１２２および先幕従動アーム１２３は、それぞれアーム回転軸１２２ａ，１２３ａを中心に回動する。そのため、先幕遮光シャッタ羽根１２１を取り付ける各かしめピンは、アーム回転軸１２２ａ，１２３ａを中心とする円弧を描くように移動する。そのため、先幕主アーム１２２および先幕従動アーム１２３に取り付けられた先幕遮光シャッタ羽根１２１は、撮影開口１１１の短辺方向に走行するとともに、この走行方向と直交する長辺方向にも移動する。
【００３１】
図７に示すように、最も上側に位置する先幕遮光シャッタ羽根１２１（以下、遮光シャッタ羽根１２１ａと呼ぶ）を取り付けるかしめピン１２４，１２５は、移動軌跡１５１，１５２で示すように、アーム回転軸１２２ａ，１２３ａを中心とする円弧を描くように移動する。アーム回転軸１２２ａ，１２３ａと、かしめピン１２４，１２５とのそれぞれの高さ位置（短辺方向の位置）が略等しくなったときには、移動軌跡１５１，１５２上でかしめピン１２４，１２５が最も右側に位置し、遮光シャッタ羽根１２１ａも同様に最も右側に移動する。このとき、仮に撮影開口１１１に拡大開口領域１１１ｂが設けられていなければ、遮光シャッタ羽根１２１ａの右端近傍部分と基板１１０（撮影開口１１１の外側の領域）との重なり量ａ１は最も多くなる。
【００３２】
後幕遮光シャッタ羽根１３１についても同様である。すなわち、図８に示すように、最も下側に位置する後幕遮光シャッタ羽根１３１（以下、遮光シャッタ羽根１３１ａと呼ぶ）を取り付けるかしめピン１３４，１３５は、移動軌跡１６１，１６２で示すように、アーム回転軸１３２ａ，１３３ａを中心とする円弧を描くように移動する。アーム回転軸１３２ａ，１３３ａと、かしめピン１３４，１３５とのそれぞれの高さ位置（短辺方向の位置）が略等しくなったときには、移動軌跡１６１，１６２上でかしめピン１３４，１３５が最も右側に位置し、遮光シャッタ羽根１３１ａも同様に最も右側に移動する。このとき、仮に撮影開口１１１に拡大開口領域１１１ｂが設けられていなければ、遮光シャッタ羽根１３１ａの右端近傍部分と撮影開口１１１の外側の領域との重なり量ａ２は最も多くなる。
【００３３】
すなわち、図７に示すように、先幕遮光シャッタ羽根１２１が撮影開口１１１を略半分開放した状態となるときに、アーム回転軸１２２ａ，１２３ａと、かしめピン１２４，１３４とのそれぞれの高さ位置が略等しくなり、重なり量ａ１は最も多くなる。また、図８に示すように、後幕遮光シャッタ羽根１３１が撮影開口１１１を略半分遮蔽した状態となるときに、アーム回転軸１３２ａ，１３３ａと、かしめピン１３４，１３５とのそれぞれの高さ位置が略等しくなり、重なり量ａ２は最も多くなる。
【００３４】
このように、各シャッタ羽根１２１，１３１を駆動する機構の構造上、各シャッタ羽根１２１，１３１は、主たる移動方向（上下方向）とは異なる方向（左右方向）にも移動する。本実施の形態のカメラ１では、この各シャッタ羽根１２１，１３１の異なる方向への移動による基板１１０との重なり量の変化を利用して、ゴミ取り用の開口である拡大開口領域１１１ｂを設けている。
【００３５】
すなわち、本実施の形態のカメラ１では、走行方向と直交する方向に動くシャッタ羽根１２１，１３１の動きに合わせて、重なり量ａ１，ａ２が最も多くなる位置の近傍に拡大開口領域１１１ｂを設けている。フォーカルプレーンシャッタ１００における遮光の観点から、重なり量ａ１，ａ２が最も多くなる部分の近傍で撮影開口１１１を非有効領域３０ｂに向かって拡大しても問題はない。
【００３６】
本実施の形態のカメラ１では、右側に向かって撮影開口１１１を拡大した部分（すなわち拡大開口領域１１１ｂ）の近傍を各シャッタ羽根１２１，１３１が通過する際には、各アーム１２２、１２３，１３２，１３３が最も右側に移動する。したがって、撮影開口１１１の右辺に拡大開口領域１１１ｂを設けても、上述した梁のスパンに相当する、かしめピンと撮影開口１１１の右辺との距離はあまり変わらず、各シャッタ羽根１２１，１３１の撓みに悪影響はない。
【００３７】
上述した本実施の形態のカメラ１では、次の作用効果を奏する。
（１）  走行方向と直交する方向に動く各シャッタ羽根１２１，１３１の動きに合わせて、拡大開口領域１１１ｂを有する撮影開口１１１を設けるように構成したので、各シャッタ羽根１２１，１３１の長さを長くしなくても、撮影開口１１１における遮光性能を十分に確保できる。これにより、従来のカメラのように各シャッタ羽根１２１，１３１の重量が増加することがないので、シャッタチャージ時の消費電力を抑制して、カメラ１の可動時間を延長できる。また、フォーカルプレーンシャッタ１００の大型化を抑制でき、カメラ１を小型化できる。
【００３８】
（２）  各シャッタ羽根１２１，１３１の走行方向と直交する方向に動く領域に拡大開口領域１１１ｂを形成したので、かしめピンと撮影開口１１１の右辺との距離はあまり変わらず、各シャッタ羽根１２１，１３１の撓みに悪影響を及ぼさない。これによりフォーカルプレーンシャッタ１００の耐久性、信頼性を確保できる。
【００３９】
（３）  各シャッタ羽根１２１，１３１を駆動する各アーム１２２、１２３，１３２，１３３が設けられた撮影開口１１１の左側とは反対側（右側）に拡大開口領域１１１ｂを設けるように構成した。したがって、各シャッタ羽根１２１，１３１の駆動に影響を及ぼすことなく拡大開口領域１１１ｂを設けることができる。また、撮影開口１１１の形状を変更するだけで、拡大開口領域１１１ｂを設けることができる。これにより、従来のフォーカルプレーンシャッタの設計をわずかに変更するだけでよいので、コスト増がわずかで済み、実施も容易である。
【００４０】
（４）  有効領域３０ａに対応する位置に有効領域３０ａと略一致するように矩形開口領域１１１ａを設け、非有効領域３０ｂに対応する位置に略三角形状の拡大開口領域１１１ｂを設けるように構成した。これにより、有効領域３０ａよりも右側の非有効領域３０ｂが大きく露呈するので、フィルタ２０１の前面の清掃の際に有効領域３０ａに付着した異物を効率よく右側の非有効領域３０ｂに払い出すことができる。
【００４１】
−−−変形例−−−
（１）  上述の説明では、撮影開口１１１の右側に拡大開口領域１１１ｂを設けているが、各シャッタ羽根１２１，１３１の右側が各アーム１２２、１２３，１３２，１３３で支持されたフォーカルプレーンシャッタであれば、撮影開口１１１の左側に拡大開口領域１１１ｂを設けることになる。また各シャッタ羽根が横走りであれば、各シャッタ羽根を支持するアームは撮影開口の上辺あるいは下辺近傍に位置するから、アームとは反対側の撮影開口の上辺あるいは下辺側に拡大開口領域を設けることになる。
【００４２】
（２）  上述の説明では、先幕遮光シャッタ羽根群１２０および後幕遮光シャッタ羽根群１３０を持つフォーカルプレーンシャッタにて説明したが、１組の遮光シャッタ羽根群を有するフォーカルプレーンシャッタを用いたものにも本発明を適用できる。
【００４３】
（３）  上述の説明では、図２，３や図９（ａ）に示すように、拡大開口領域１１１ｂの形状は略三角形状であるが、本発明はこれに限定されない。たとえば、図９（ｂ）に示すように、撮影開口１１１の右側に向かって弧状に張り出した拡大開口領域１１１ｃを設けてもよく、図９（ｃ）に示すように、撮影開口１１１の右側に向かって矩形状に張り出した拡大開口領域１１１ｄを設けてもよい。また、図９（ｄ）に示すように、撮影開口１１１の右側の全体が弧状に張り出した拡大開口領域１１１ｃを設けてもよい。
【００４４】
各シャッタ羽根１２１，１３１は、撮影開口１１１の高さ方向中央付近では右側に移動するが、撮影開口１１１の上辺および下辺付近では左側に移動する。したがって、図９（ｅ）に示すように、撮影開口１１１の左側であって、撮影開口１１１の上辺付近および／または下辺付近に拡大開口領域１１１ｆを設けてもよい。すなわち、走行方向と直交する方向に動く各シャッタ羽根１２１，１３１の動きに合わせて拡大開口領域を設けるのであれば、上述した遮光の点や、各シャッタ羽根１２１，１３１の撓みの点で悪影響を及ぼさない限り、その形状は特に問わず、上述した作用効果と同様の作用効果を奏する。
（４）  上述した各実施の形態および変形例は、それぞれ組み合わせてもよい。
【００４５】
なお、本発明は、上述した実施の形態のものに何ら限定されず、走行方向と直交する方向に動きながら走行するシャッタ羽根の動きに対応した領域に非矩形状に形成された開口部を有する各種構造の電子カメラを含むものである。
【図面の簡単な説明】
【００４６】
【図１】本実施形態におけるデジタルスチルカメラ（カメラ１）の側面から見た断面図である。
【図２】先幕遮光シャッタ羽根群１２０によって遮光状態とされたフォーカルプレーンシャッタ１００をカメラ１の前方から見た図である。
【図３】後幕遮光シャッタ羽根群１３０によって遮光状態とされたフォーカルプレーンシャッタ１００をカメラ１の前方から見た図である。
【図４】撮像ユニットＵＮをカメラ１の前方から見た図である。
【図５】図４のＶ−Ｖ線断面図である。
【図６】図４のVI−VI線断面図である。
【図７】先幕遮光シャッタ羽根１２１が撮影開口１１１を略半分開放した状態を示す図である。
【図８】後幕遮光シャッタ羽根１３１が撮影開口１１１を略半分遮蔽した状態を示す図である。
【図９】撮影開口１１１の変形例を示す図である。
【符号の説明】
【００４７】
１  デジタルスチルカメラ（カメラ）            ３０  撮像素子
３０ａ  有効領域                              ３０ｂ  非有効領域
１００  フォーカルプレーンシャッタ            １１１  撮影開口
１１１ａ  矩形開口領域                        １１１ｂ  拡大開口領域
１２０  先幕遮光シャッタ羽根群                １２１  先幕遮光シャッタ羽根
１２２  先幕主アーム                          １２３  先幕従動アーム
１３０  後幕遮光シャッタ羽根群                １３１  後幕遮光シャッタ羽根
１３２  後幕主アーム                          １３３  後幕従動アーム
【図１】
2007281932.tif 000003
【図２】
2007281932.tif 000004
【図３】
2007281932.tif 000005
【図４】
2007281932.tif 000006
【図５】
2007281932.tif 000007
【図６】
2007281932.tif 000008
【図７】
2007281932.tif 000009
【図８】
2007281932.tif 000010
【図９】
2007281932.tif 000011